(57)【特許請求の範囲】
【請求項１】
磁気テープや磁気ディスクや光ディスクや大容量メモリやＨＤＤ等の記録媒体を用いて、ＢＳやＣＳや地上波等の放送局より放送されるテレビ番組を録画する機能を有し、その録画した番組を再生視聴することが可能な機能を有する録画再生装置において、
放送局から放送された信号に含まれる番組情報を判別する手段と、判別した番組情報により録画する番組がニュース番組や天気予報等の即時情報性を有する番組である場合には、録画する番組信号に録画日時の情報を自動的に加えて録画する手段とを、有することを特徴とする録画再生装置。
【請求項２】
磁気テープや磁気ディスクや光ディスクや大容量メモリやＨＤＤ等の記録媒体を用いて、ＢＳやＣＳや地上波等の放送局より放送されるテレビ番組を録画する機能を有し、その録画した番組を再生視聴することが可能な機能を有する録画再生装置において、
放送局から放送された番組の録画動作と同時に番組録画の日時情報を記録する手段と、その録画番組を再生するときに信号に含まれる番組情報を判別する手段と、判別した番組情報により再生する番組がニュース番組や天気予報等の即時情報性を有する番組である場合には、自動的に再生画面上に番組録画の録画日時を付加する手段とを、有することを特徴とする録画再生装置。
【請求項３】
磁気テープや磁気ディスクや光ディスクや大容量メモリやＨＤＤ等の記録媒体を用いて、ＢＳやＣＳや地上波等の放送局より放送されるテレビ番組を録画する機能を有し、その録画した番組を再生視聴することが可能な機能を有する録画再生装置において、
放送局から放送された番組を録画するときにその録画している番組中にニュース速報があった場合に、番組中にニュース速報が挿入されたことを判別する手段と、録画している番組中にニュース速報が挿入されたと判別した場合には、録画する番組信号に録画日時の情報を自動的に加えて録画する手段とを、有することを特徴とする録画再生装置。
【請求項４】
請求項３記載において、
録画する番組の画面中のニュース速報テロップ部分に自動的にマスキングを加えて録画する手段を有することを特徴とする録画再生装置。
【請求項５】
磁気テープや磁気ディスクや光ディスクや大容量メモリやＨＤＤ等の記録媒体を用いて、ＢＳやＣＳや地上波等の放送局より放送されるテレビ番組を録画する機能を有し、その録画した番組を再生視聴することが可能な機能を有する録画再生装置において、
放送局から放送された番組の録画動作と同時に番組録画の日時情報を記録する手段と、その録画番組を再生するときに再生番組中にニュース速報があった場合に、番組中にニュース速報が挿入されたことを判別する手段と、再生する番組中にニュース速報が挿入されたと判別した場合には、自動的に再生画面上に録画日時を付加する手段と、放送局から放送された番組を録画するときにその録画している番組中にニュース速報があった場合に、番組中にニュース速報が挿入されたことを判別する手段と、録画している番組中にニュース速報が挿入されたと判別した場合には、録画する番組信号の画面中のニュース速報テロップ部分にマスキングを自動的に加えて録画する手段とを、有することを特徴とする録画再生装置。
【請求項６】
磁気テープや磁気ディスクや光ディスクや大容量メモリやＨＤＤ等の記録媒体を用いて、ＢＳやＣＳや地上波等の放送局より放送されるテレビ番組を録画する機能を有し、その録画した番組を再生視聴することが可能な機能を有する録画再生装置において、
放送局から放送された番組の録画動作と同時に番組録画の日時情報を記録する手段と、その録画番組を再生するときに再生番組中にニュース速報があった場合に、番組中にニュース速報が挿入されたことを判別する手段と、再生する番組中にニュース速報が挿入されたと判別した場合には、自動的に再生画面上に録画日時を付加する手段と、再生する番組中にニュース速報が挿入されたと判別した場合には、再生画面中のニュース速報テロップ部分にマスキングを自動的に加えて表示する手段を有することを特徴とする録画再生装置。
【請求項７】
請求項２に記載の再生番組がニュース番組や天気予報番組であることを判別する手段、および／または、請求項４に記載の再生番組中にニュース速報が挿入されたことを判別する手段を有する録画再生装置において、
録画再生装置の本体に設けたＬＥＤや液晶表示部などの情報表示部を有し、その情報表示部に、現在再生中のニュース番組や天気予報番組、または番組中のニュース速報が、録画番組であることを表示可能なようにしたことを特徴とする録画再生装置。
【請求項８】
請求項２に記載の再生番組がニュース番組や天気予報番組であることを判別する手段、および／または、請求項４に記載の再生番組中にニュース速報が挿入されたことを判別する手段を有する録画再生装置において、
判別結果をリモコン送信機へ送信する手段と、リモコン送信機に設けられたＬＥＤや液晶表示部などの情報表示部とを有し、
リモコン送信機の情報表示部に、現在再生中のニュース番組や天気予報番組また番組中のニュース速報が、録画番組であることを表示可能なようにしたことを特徴とする録画再生装置。
【請求項９】
請求項８記載において、
リモコン送信機に音声発生装置を有し、録画番組である表示と共に録画番組である注意音を発生するようにしたことを特徴とする録画再生装置。
【発明の詳細な説明】
【０００１】
【発明の属する技術分野】
本発明は、放送局から放送されるテレビ番組を記録媒体を用いて録画し再生する録画再生装置に係り、特に、録画する番組がニュース番組や天気予報等の即時情報性を有する番組である場合や、録画している番組中にニュース速報が挿入された場合において、録画番組の再生時に装置の使用者が、過去のニュース番組や天気予報番組、あるいは挿入されたニュース速報を現在の番組と間違えてしまうことを防止するようにした技術に関する。
【０００２】
【従来の技術】
従来、ビデオデッキ等の録画再生装置は、使用者の録画操作や録画予約操作によって記録媒体にテレビ番組を録画し、使用者の再生操作によって録画番組を視聴するものであった。そして、使用者は、記録媒体に録画した記録媒体を再生するときには、視聴している番組が再生番組であることを意識しながら視聴していた。
【０００３】
また、ビデオデッキ等の録画再生装置においては、その録画時間は、たとえば記録媒体がテープの場合には数時間程度であり、また、アナログ録画が一般的であったため再生画像の画質も放送番組より悪くなっていた。
【０００４】
【発明が解決しようとする課題】
ところが、昨今の記録媒体の大容量化に伴い、何日分ものテレビ番組を録画する長時間録画や多数局の番組を同時に録画することが可能になりつつあり、また、デジタル記録による録画によって、再生画像劣化のない録画番組を視聴することが可能になってきている。
【０００５】
さらに、ディスク媒体や大容量メモリの開発によって、磁気テープのような巻き戻し／早送り操作を必要とせず、ランダムに録画番組の再生が可能になり、そのため、あたかも現在放送されているテレビ番組が増えて、番組選択の選択肢が増えたように使用者が錯覚するような、操作環境が実現可能となってきている。
【０００６】
このこと自体は、使用者にとって過去の番組も含めテレビ番組の選択肢が増え、歓迎されるべきものであるが、同時に、過去の番組を現在の番組と混同し間違える可能性が生じる。その過去の番組と現在放送されている番組の混同も、ドラマ等の番組であれば、番組を視聴する使用者にとって不利益になることは少ないと考えられるが、もし、選択した番組が過去に録画されたニュース番組や天気予報番組等の即時性を有する番組である場合や、ドラマ等の番組であってもその番組中にテロップ等で挿入されるニュース速報等があった場合は、そのニュース等を、録画再生装置の使用者が現在のものと間違えてしまう可能性があるという問題を有している。
【０００７】
本発明は上記の点に鑑みなされたもので、その目的とするところは、録画する番組がニュース番組や天気予報等の即時情報性を有する番組である場合や、録画している番組中にニュース速報が挿入された場合において、録画番組の再生時に装置の使用者が、過去のニュース番組や天気予報番組、あるいは挿入されたニュース速報のテロップ等を現在の番組と間違えてしまうことを防止することにある。
【０００８】
【課題を解決するための手段】
上記した目的を達成するため、本願の各請求項に係る発明は、以下のような技術的手段を備える。
【０００９】
請求項１に係る発明においては、磁気テープや磁気ディスクや光ディスクや大容量メモリやＨＤＤ等の記録媒体を用いてＢＳ（Broadcasting Satellite）やＣＳ（Communications Satellite）や地上波等の放送局より放送されるテレビ番組を録画する機能を有し、その録画した番組を再生視聴することが可能な機能を有する録画再生装置において、
放送局から放送された信号に含まれる番組情報を判別する手段と、判別した番組情報により録画する番組がニュース番組や天気予報等の即時情報性を有する番組である場合には、録画する番組信号に録画日時の情報を自動的に加えて録画する手段とを、有することにより、
録画番組の再生時に画面上に番組の録画日時を表示して、録画再生装置の使用者が過去のニュース番組や天気予報番組を現在の番組と間違えてしまうことを防止する。
【００１０】
請求項２に係る発明においては、磁気テープや磁気ディスクや光ディスクや大容量メモリやＨＤＤ等の記録媒体を用いてＢＳやＣＳや地上波等の放送局より放送されるテレビ番組を録画する機能を有し、その録画した番組を再生視聴することが可能な機能を有する録画再生装置において、
放送局から放送された番組の録画動作と同時に番組録画の日時情報を記録する手段と、その録画番組を再生するときに信号に含まれる番組情報を判別する手段と、判別した番組情報により再生する番組がニュース番組や天気予報等の即時情報性を有する番組である場合には、自動的に再生画面上に番組録画の録画日時を付加する手段とを、有することにより、
録画再生装置の使用者が過去のニュース番組や天気予報番組を現在の番組と間違えてしまうことを防止する。
【００１１】
請求項３に係る発明においては、磁気テープや磁気ディスクや光ディスクや大容量メモリやＨＤＤ等の記録媒体を用いてＢＳやＣＳや地上波等の放送局より放送されるテレビ番組を録画する機能を有し、その録画した番組を再生視聴することが可能な機能を有する録画再生装置において、
放送局から放送された番組を録画するときにその録画している番組中にニュース速報があった場合に、番組中にニュース速報が挿入されたことを判別する手段と、録画している番組中にニュース速報が挿入されたと判別した場合には、録画する番組信号に録画日時の情報を自動的に加えて録画する手段とを、有することにより、
録画番組の再生時に画面上に番組の録画日時を表示して、録画再生装置の使用者が過去の番組中に挿入されたニュース速報を現在の番組と間違えてしまうことを防止する。
【００１５】
請求項４に係る発明においては、請求項３の機能を有する録画再生装置において、録画する番組の画面中のニュース速報テロップ部分に自動的にマスキングを加えて録画する手段を、有することにより、
番組再生時に録画再生装置の使用者が過去の番組中に挿入されたニュース速報を現在の番組と間違えてしまうことを防止し、その番組の録画日時を認識させる。
【００１６】
請求項５に係る発明においては、磁気テープや磁気ディスクや光ディスクや大容量メモリやＨＤＤ等の記録媒体を用いてＢＳやＣＳや地上波等の放送局より放送されるテレビ番組を録画する機能を有し、その録画した番組を再生視聴することが可能な機能を有する録画再生装置において、
放送局から放送された番組の録画動作と同時に番組録画の日時情報を記録する手段と、その録画番組を再生するときに再生番組中にニュース速報があった場合に、番組中にニュース速報が挿入されたことを判別する手段と、再生する番組中にニュース速報が挿入されたと判別した場合には、自動的に再生画面上に録画日時を付加する手段とを、有することにより、
録画再生装置の使用者が過去の番組中に挿入されたニュース速報を現在の番組と間違えてしまうことを防止し、
放送局から放送された番組を録画するときにその録画している番組中にニュース速報があった場合に、番組中にニュース速報が挿入されたことを判別する手段と、録画している番組中にニュース速報が挿入されたと判別した場合には、録画する番組信号の画面中のニュース速報テロップ部分にマスキングを自動的に加えて録画する手段とを、有することにより、
番組再生時に録画再生装置の使用者が過去の番組中に挿入されたニュース速報を現在の番組と間違えてしまうことを防止し、その番組の録画日時を認識させる。
【００１７】
請求項６に係る発明においては、磁気テープや磁気ディスクや光ディスクや大容量メモリやＨＤＤ等の記録媒体を用いてＢＳやＣＳや地上波等の放送局より放送されるテレビ番組を録画する機能を有し、その録画した番組を再生視聴することが可能な機能を有する録画再生装置において、
放送局から放送された番組の録画動作と同時に番組録画の日時情報を記録する手段と、その録画番組を再生するときに再生番組中にニュース速報があった場合に、番組中にニュース速報が挿入されたことを判別する手段と、再生する番組中にニュース速報が挿入されたと判別した場合には、自動的に再生画面上に録画日時を付加する手段とを、有することにより、
録画再生装置の使用者が過去の番組中に挿入されたニュース速報を現在の番組と間違えてしまうことを防止し、
再生する番組中にニュース速報が挿入されたと判別した場合には、再生画面中のニュース速報テロップ部分にマスキングを自動的に加えて表示する手段を、有することにより、
番組再生時に録画再生装置の使用者が過去の番組中に挿入されたニュース速報を現在の番組と間違えてしまうことを防止し、その番組の録画日時を認識させる。
【００１８】
請求項７に係る発明においては、請求項２に記載の再生番組がニュース番組や天気予報番組であることを判別する手段、および／または、請求項４に記載の再生番組中にニュース速報が挿入されたことを判別する手段を有する録画再生装置において、録画再生装置の本体に設けたＬＥＤや液晶表示部等の情報表示部を有し、その情報表示部に、現在再生中のニュース番組や天気予報番組、または番組中のニュース速報が、録画番組であることを表示可能なようにすることにより、
画面への録画日時の表示の代わりに録画再生装置の本体に録画番組であることを表示して、録画再生装置の使用者が過去のニュース番組や天気予報番組を現在の番組と間違えてしまうことを防止する。
【００１９】
請求項８に係る発明においては、請求項２に記載の再生番組がニュース番組や天気予報番組であることを判別する手段、および／または、請求項４に記載の再生番組中にニュース速報が挿入されたことを判別する手段を有する録画再生装置において、判別結果をリモコン送信機へ送信する手段と、リモコン送信機に設けられたＬＥＤや液晶表示部等の情報表示部とを有し、リモコン送信機の情報表示部に、現在再生中のニュース番組や天気予報番組または番組中のニュース速報が、録画番組であることを表示可能なようにすることにより、
画面への録画日時の表示の代わりに録画再生装置のリモコン送信機に録画番組であることを表示して、録画再生装置の使用者が過去のニュース番組や天気予報番組を現在の番組と間違えてしまうことを防止する。
【００２０】
請求項９に係る発明においては、請求項８に記載のリモコン送信機を有する録画再生装置において、リモコン送信機に音声発生装置を有し、表示と共に注意音を発生することにより、
より確実に、録画再生装置の使用者が過去のニュース番組や天気予報番組を現在の番組と間違えてしまうことを防止する。
【００２１】
【発明の実施の形態】
以下、本発明の実施の形態を、図面を用いて説明する。
【００２２】
図１は、本発明の第１実施形態に係る録画再生装置の構成を示す図である。図１において、１００は、放送局から放送される放送信号を受信するためのアンテナ、１０１は、アンテナ１００で受信した信号を録画信号に処理する受信手段、１０２は、録画再生装置で録画する番組の録画信号、１０３は、録画信号がニュース番組や天気予報番組等の即時情報性を有する番組であることを判別する手段、１０４は、判別した録画信号がニュース番組や天気予報番組等の即時情報性を有する番組でない場合に、判別する手段１０３から出力される録画信号、１０５は、判別した録画信号がニュース番組や天気予報番組等の即時情報性を有する番組である場合に、判別する手段１０３から出力される録画信号、１０６は、番組を録画する録画日時の情報、１０７は、録画日時の情報１０６を上記の録画信号１０５に加えて録画信号を作成する手段、１０８は、上記の録画信号１０４、または上記の録画信号１０５に録画日時情報を重畳した信号を録画媒体に録画する手段、１０９は、磁気テープ、光ディスク、大容量メモリ、ＨＤＤ等の録画番組の録画信号を録画する録画媒体、１１０は、録画媒体１０９に録画した番組を再生する手段、１１１は再生画像画面の１例、１１２は、再生画像画面に表示されるニュース番組や天気予報番組等の画像を表す１例、１１３は、再生画像画面に表示される番組録画日時の表示の１例である。
【００２３】
本実施形態では、録画信号がニュース番組や天気予報番組等の即時情報性を有する番組である場合には、その録画日時の情報を合わせて録画媒体１０９に記録するようにしているので、再生時には、即時情報性を有する番組については、その番組の録画日時の情報が同時に表示されるため、録画再生装置を使用する使用者が、録画番組を再生視聴する場合に、過去のニュース番組や天気予報番組を現在の番組と間違えてしまうことを防止することが可能となる。
【００２４】
つまり、ニュース番組や天気予報番組等の即時情報性を有する録画番組を再生視聴するときには、図１中の再生画面１１１に示すように、自動的に画面に録画日時の情報が表示され、録画再生装置を使用する使用者が、録画番組を再生視聴する場合に、過去のニュース番組や天気予報番組等を現在の番組と間違えてしまうことを防止することができる。また、ニュース番組や天気予報番組等の即時情報性を有する番組を判別する手段１０３で、録画信号に応じてその信号経路を振り分けているので、ドラマなどの即時情報性の無い番組には録画日時情報が付加されることはなく、録画再生装置の使用者は画面の情報を損なうことなくドラマ等の視聴が可能となる。
【００２５】
図２は、本発明の第２実施形態に係る録画再生装置の構成を示す図である。図２において、２００は、放送局から放送される放送信号を受信するためのアンテナ、２０１は、アンテナ２００で受信した信号を録画信号に処理する受信手段、２０２は、録画再生装置で録画する番組の録画信号、２０８は録画する番組の録画信号２０２を録画媒体に録画する手段、２０９は、磁気テープ、光ディスク、大容量メモリ、ＨＤＤ等の録画番組の録画信号を録画する録画媒体、２１４は、録画する手段２０８の録画動作と同時に、録画番組を録画する録画日時情報を記録する手段、２１０は、録画媒体２０９に録画した番組を再生する手段、２１７は、再生する手段２１０の再生動作によって再生した録画された番組の再生信号、２０３は、再生信号がニュース番組や天気予報番組等の即時情報性を有する番組であることを判別する手段、２０４は、判別した再生信号がニュース番組や天気予報番組等の即時情報性を有する番組でない場合に、判別する手段２０３から出力される再生信号、２０５は、判別した再生信号がニュース番組や天気予報番組等の即時情報性を有する番組である場合に、判別する手段２０３から出力される再生信号、２０６は、再生した番組画面に加えるべき番組を録画した録画日時の情報を、録画日時を記録する手段２１４から呼び出す手段、２０７は、上記の再生信号２０５に、呼び出す手段２０６で呼び出した録画日時情報を加えて再生画像を作成する手段、２１１は、再生画像画面の１例、２１２は、再生画像画面に表示されるニュース番組や天気予報番組等の画像を表す１例、２１３は、再生画像画面に表示される番組録画日時の表示の１例である。
【００２６】
本実施形態では、録画媒体２０９から再生した再生信号が、ニュース番組や天気予報番組等の即時情報性を有する番組である場合には、録画動作と同時に録画日時情報を記録する手段から呼び出した録画日時の情報を、再生画像上に付加表示するので、録画再生装置を使用する使用者が、録画番組を再生視聴する場合に、過去のニュース番組や天気予報番組を現在の番組と間違えてしまうことを防止することが可能となる。
【００２７】
つまり、ニュース番組や天気予報番組等の即時情報性を有する録画番組を再生視聴するときには、図２中の再生画面２１１に示すように、自動的に画面に録画日時の情報が表示され、録画再生装置を使用する使用者が、録画番組を再生視聴する場合に、過去のニュース番組や天気予報番組等を現在の番組と間違えてしまうことを防止することができる。また、ニュース番組や天気予報番組等の即時情報性を有する番組を判別する手段２０３で、再生信号に応じてその信号経路を振り分けているので、ドラマなどの即時情報性の無い番組には録画日時情報が加えられることがなく、録画再生装置の使用者は画面の情報を損なうことなくドラマ等の視聴が可能となる。さらに、再生時に、判別する手段２０３による判別を行い日時情報を画面に加えて再生信号を作成するので、たとえ再生番組がニュース番組や天気予報番組等の即時情報性を有する番組であったとしても、録画再生装置の使用者が希望するならば、録画日時の表示を加えずに画面表示することも可能となる
図３は、本発明の第３実施形態に係る録画再生装置の構成を示す図である。図３において、３００は、放送局から放送される放送信号を受信するためのアンテナ、３０１は、アンテナ３００で受信した信号を録画信号に処理する受信手段、３０２は、録画再生装置で録画する番組の録画信号、３０３は、録画信号の画面にニュース速報が挿入されていることを判別する手段、３０４は、判別した録画信号にはニュース速報が挿入されていないと判別した場合に、判別する手段３０３から出力される録画信号、３０５は、判別した録画信号にニュース速報が挿入されていると判別した場合に、判別する手段から出力される録画信号、３０６は、番組を録画する録画日時の情報、３０７は、録画日時の情報３０６を上記の録画信号３０５に加えて録画信号を作成する手段、３０８は、上記の録画信号３０４、または上記の録画信号３０５に録画日時情報を重畳した信号を録画媒体に録画する手段、３０９は、磁気テープ、光ディスク、大容量メモリ、ＨＤＤ等の録画番組の録画信号を録画する録画媒体、３１０は、録画媒体３０９に録画した番組を再生する手段、３１１は、再生画像画面の１例、３１２は、再生画像画面に表示される番組の画像を表す１例、３１３は、再生画像画面に表示される番組録画日時の表示の１例、３１６は、再生された番組画面上に挿入されているニュース速報のテロップ等の表示の１例である。
【００２８】
本実施形態では、録画している番組中にニュース速報が挿入された場合には、ニュース速報が挿入された番組の画面にその録画日時の情報を合わせて録画媒体３０９に記録するようにしているので、再生時には、ニュース速報が挿入された番組画面にはその録画日時の情報が同時に表示されるため、録画再生装置を使用する使用者が、録画番組を再生視聴する場合に、過去の番組画面内に挿入された録画時のニュース速報等のテロップの内容を、現在のニュース速報と間違えてしまうことを防止することが可能となる。
【００２９】
つまり、ニュース速報が挿入された録画番組の画面を再生するときには、図３中の再生画面３１１に示すように、ニュース速報のテロップ等の表示３１６とともに番組録画日時３１３が自動的に表示され、録画再生装置を使用する使用者が、録画番組を再生視聴する場合に、その番組画面に挿入された過去のニュース速報等を、現在のニュース速報と間違えてしまうことを防止することができる。
【００３０】
図４は、本発明の第４実施形態に係る録画再生装置の構成を示す図である。図４において、４００は、放送局から放送される放送信号を受信するためのアンテナ、４０１は、アンテナ４００で受信した信号を録画信号に処理する受信手段、４０２は、録画再生装置で録画する番組の録画信号、４０８は、録画する番組の録画信号４０２を録画媒体に録画する手段、４０９は、磁気テープ、光ディスク、大容量メモリ、ＨＤＤ等の録画番組の録画信号を録画する録画媒体、４１４は、録画する手段４０８の録画動作と同時に、録画番組を録画する録画日時情報を記録する手段、４１０は、録画媒体４０９に録画した番組を再生する手段、４１７は、再生する手段４１０の再生動作によって再生した録画された番組の再生信号、４０３は、再生信号の画面にニュース速報が挿入されていることを判別する手段、４０４は、判別した再生信号にはニュース速報が挿入されていないと判別した場合に、判別する手段４０３から出力される再生信号、４０５は、判別した再生信号にニュース速報が挿入されていると判別した場合に、判別する手段４０３から出力される再生信号、４０６は、再生した番組画面に加えるべき番組を録画した録画日時の情報を、録画日時を記録する手段４１４から呼び出す手段、４０７は、上記の再生信号４０５に、呼び出す手段４０６で呼び出した録画日時情報を加えて再生画像を作成する手段、４１１は、再生画像画面の１例、４１２は、再生画像画面に表示される番組等の画像を表す１例、４１３は、再生画像画面に表示される番組録画日時の表示の１例、４１６は、再生された番組画面上に挿入されているニュース速報のテロップ等の表示の１例である。
【００３１】
本実施形態では、録画媒体４０９から再生した再生番組画面がニュース速報が挿入された番組画面である場合には、録画動作と同時に録画日時情報を記録する手段から呼び出した録画日時の情報を、ニュース速報が挿入された再生画像上に表示するので、録画再生装置を使用する使用者が、録画番組を再生視聴する場合に、過去の番組画面内に挿入された録画時のニュース速報等のテロップの内容を、現在のニュース速報と間違えてしまうことを防止することが可能となる。
【００３２】
つまり、ニュース速報が挿入された番組画面を再生視聴するときには、図４中の再生画面４１１に示すように、ニュース速報のテロップ等の表示４１６とともに番組録画日時４１３が自動的に表示され、録画再生装置を使用する使用者が、録画番組を再生視聴する場合に、その番組画面に挿入された過去のニュース速報等を、現在のニュース速報と間違えてしまうことを防止することできる。また、再生時に、判別する手段４０３による判別を行い日時情報を画面に加えて再生信号を作成するので、たとえ再生番組画面内にニュース速報がテロップ等で挿入されても、録画再生装置の使用者が希望するならば、録画日時の表示を加えずに画面表示することも可能となる。
【００３３】
図５は、本発明の第５実施形態に係る録画再生装置の構成を示す図である。図５において、５００は、放送局から放送される放送信号を受信するためのアンテナ、５０１は、アンテナ５００で受信した信号を録画信号に処理する受信手段、５０２は、録画再生装置で録画する番組の録画信号、５０３は、録画信号の画面にニュース速報が挿入されていることを判別する手段、５０４は、判別した録画信号にはニュース速報が挿入されていないと判別した場合に、判別する手段５０３から出力される録画信号、５０５は、判別した録画信号にニュース速報が挿入されていると判別した場合に、判別する手段５０３から出力される録画信号、５１９は、番組画面内のニュース速報テロップ部分にマスキングを施した録画信号を作成する手段、５０８は、上記の録画信号５０４、または上記の録画信号５０５の画面の一部にマスキングを施した信号を録画媒体に録画する手段、５０９は、磁気テープ、光ディスク、大容量メモリ、ＨＤＤ等の録画番組の録画信号を録画する録画媒体、５１０は、録画媒体５０９に録画した番組を再生する手段、５１１は、再生画像画面の１例、５１２は、再生画像画面に表示される番組の画像を表す１例、５１６は、再生された番組画面上に挿入されているニュース速報のテロップ等の表示の１例、５１８は、再生番組画像のニュース速報テロップにかけられたマスキングの１例である。
【００３４】
本実施形態では、録画している番組中にニュース速報が挿入された場合には、ニュース速報が挿入された番組の画面中におけるニュース速報テロップ部分にマスキングを施して、録画媒体５０９に記録するようにしているので、再生時には、ニュース速報が挿入された番組画面のニュース速報テロップにはマスキングがかけられて表示されるため、録画再生装置を使用する使用者が、録画番組を再生視聴する場合に、過去の番組画面内に挿入された録画時のニュース速報等のテロップの内容を、現在のニュース速報と間違えてしまうことを防止することが可能となる。
【００３５】
つまり、ニュース速報が挿入された録画番組の画面を再生するときには、図５中の再生画面５１１に示すように、ニュース速報のテロップ等５１６にはマスキング５１８がかけられて表示され、録画番組を再生視聴するときには自動的に画面内に挿入されるニュース速報のテロップ等が隠されることにより、録画再生装置を使用する使用者が、録画番組を再生視聴する場合に、過去のニュース速報等を現在のニュース速報と間違えてしまうことを防止することができる。
【００３６】
図６は、本発明の第６実施形態に係る録画再生装置の構成を示す図である。図６において、６００は、放送局から放送される放送信号を受信するためのアンテナ、６０１は、アンテナ６００で受信した信号を録画信号に処理する受信手段、６０２は、録画再生装置で録画する番組の録画信号、６０８は、録画する番組の録画信号を録画媒体に録画する手段、６０９は、磁気テープ、光ディスク、大容量メモリ、ＨＤＤ等の録画番組の録画信号を録画する録画媒体、６１０は、録画媒体６０９に録画した番組を再生する手段、６１７は、再生する手段６１０の再生動作によって再生した録画された番組の再生信号、６０３は、再生信号の画面にニュース速報が挿入されていることを判別する手段、６０４は、判別した再生信号にはニュース速報が挿入されていないと判別した場合に、判別する手段６０３から出力される再生信号、６０５は、判別した再生信号にニュース速報が挿入されていると判別した場合に、判別する手段６０３から出力される再生信号、６１９は、上記の再生信号６０５の画面内のニュース速報テロップ部分にマスキングをかけた再生信号を作成する手段、６１１は、再生画像画面の１例、６１２は、再生画像画面に表示される番組等の画像を表す１例、６１６は、再生された番組画面上に挿入されているニュース速報のテロップ等の表示の１例、６１８は、再生番組画像のニュース速報テロップにかけられたマスキングの１例である。
【００３７】
本実施例では、録画媒体６０９から再生した再生番組画面がニュース速報が挿入された番組画面である場合には、ニュース速報が挿入された番組画面のニュース速報テロップに自動的にマスキングをかけて表示されるため、録画再生装置を使用する使用者が、録画番組を再生視聴する場合に、過去の番組画面内に挿入された録画時のニュース速報等のテロップの内容を、現在のニュース速報と間違えてしまうことを防止することが可能となる。
【００３８】
つまり、ニュース速報が挿入された録画番組の画面を再生するときには、図６中の再生画面６１１に示すように、再生番組の画面内に挿入されるニュース速報のテロップ等に６１６にマスキング６１８かけて表示することにより、録画番組を再生視聴するときには、自動的に画面内に挿入されるニュース速報のテロップ等がマスキングで隠されることにより、録画再生装置を使用する使用者が、録画番組を再生視聴する場合に、過去のニュース速報等を現在のニュース速報と間違えてしまうことを防止することができる。また、再生時に、判別する手段６０３による判別を行い、画面内に挿入されるニュース速報のテロップ等にマスキングを加えた再生信号を作成するので、たとえ再生番組画面内にニュース速報がテロップ等で挿入されても、録画再生装置の使用者が希望するならば、再生画面内に挿入されるニュース速報のテロップにマスキングを加えずに、画面にニュース速報を表示することも可能となる。
【００３９】
図７は、本発明の第７実施形態に係る録画再生装置の構成を示す図である。図７において、７００は、放送局から放送される放送信号を受信するためのアンテナ、７０１は、アンテナ７００で受信した信号を録画信号に処理する受信手段、７０２は、録画再生装置で録画する番組の録画信号、７０３は、録画信号の画面にニュース速報が挿入されていることを判別する手段、７０４は、判別した録画信号にはニュース速報が挿入されていないと判別した場合に、判別する手段から出力される録画信号、７０５は、判別した録画信号にニュース速報が挿入されていると判別した場合に、判別する手段７０３から出力される録画信号、７０６は、番組を録画する録画日時の情報、７０７は、録画日時の情報を上記の録画信号７０５に重畳する手段、７１９は、上記の録画信号７０５のニュース速報テロップ部分にマスキングを施す手段、７０８は、録画する番組の録画信号を録画媒体に録画する手段、７０９は、磁気テープ、光ディスク、大容量メモリ、ＨＤＤ等の録画番組の録画信号を録画する録画媒体、７１０は、録画媒体７０９に録画した番組を再生する手段、７１１は再生画像画面の１例、７１２は、再生画像画面に表示される番組の画像を表す１例、７１３は、再生画像画面に表示される番組録画日時の表示の１例、７１６は、再生された番組画面上に挿入されているニュース速報のテロップ等の表示の１例、７１８は、再生番組画像のニュース速報テロップにかけられたマスキングの１例である。
【００４０】
本実施形態では、録画している番組中にニュース速報が挿入された場合には、ニュース速報が挿入された番組の画面にその録画日時の情報を加えるとともに、画面のニュース速報テロップ部分にマスキングをかけて、録画媒体７０９に記録するようにしている。したがって、再生時には、ニュース速報が挿入された番組画面には、その録画日時の情報が同時に表示されるとともに、ニュース速報テロップ部分はマスキングがかけられて隠されるため、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することが可能となる。
【００４１】
つまり、ニュース速報が挿入された録画番組の画面を再生するときには、図７中の再生画面７１１に示すように、ニュース速報のテロップ等７１６にはマスキング７１８がかけられるとともに、録画日時情報７１３が自動的に表示されるので、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することができる。
【００４２】
図８は、本発明の第８実施形態に係る録画再生装置の構成を示す図である。図８において、８００は、放送局から放送される放送信号を受信するためのアンテナ、８０１は、アンテナ８００で受信した信号を録画信号に処理する受信手段、８０２は、録画再生装置で録画する番組の録画信号、８０３は、録画信号の画面にニュース速報が挿入されていることを判別する手段、８０４は、判別した録画信号にはニュース速報が挿入されていないと判別した場合に、判別する手段８０３から出力される録画信号、８０５は、判別した録画信号にニュース速報が挿入されていると判別した場合に、判別する手段８０３から出力される録画信号、８１９は、番組画面内のニュース速報テロップ部分にマスキングを施した録画信号を作成する手段、８０８は、録画する番組の録画信号を録画媒体に録画する手段、８０９は、磁気テープ、光ディスク、大容量メモリ、ＨＤＤ等の録画番組の録画信号を録画する録画媒体、８１４は、録画する手段８０８の録画動作と同時に、録画番組を録画する録画日時情報を記録する手段、８１０は、録画媒体８０９に録画した番組を再生する手段、８１７は、再生する手段８１０の再生動作によって再生した録画された番組の再生信号、８２３は、再生信号の画面にニュース速報が挿入されていることを判別する手段、８２４は、判別した再生信号にはニュース速報が挿入されていないと判別した場合に、判別する手段８２３から出力される再生信号、８２５は、判別した再生信号にニュース速報が挿入されていると判別した場合に、判別する手段から出力される再生信号、８０６は、再生した番組画面に加えるべき番組を録画した録画日時の情報を、録画日時を記録する手段８１４から呼び出す手段、８０７は、上記の再生信号８２５に、呼び出す手段８０６で呼び出した録画日時情報を加えて再生画像を作成する手段、８１１は、再生画像画面の１例、８１２は、再生画像画面に表示される番組等の画像を表す１例、８１３は、再生画像画面に表示される番組録画日時の表示の１例、８１６は、再生された番組画面上に挿入されているニュース速報のテロップ等の表示の１例、８１８は、再生番組画像のニュース速報テロップにかけられたマスキングの１例である。
【００４３】
本実施形態では、番組の録画動作と同時に、録画日時情報を記録する手段８１４に番組の録画日時の情報を記録し、また、録画している番組中にニュース速報が挿入された場合には、ニュース速報が挿入された番組の画面中におけるニュース速報テロップ部分にマスキングを施して、録画媒体５０９に記録するようにしている。そして、再生時には、ニュース速報が挿入された番組画面のニュース速報テロップには、マスキングがかけられて表示されると同時に、ニュース速報が挿入された画面には、録画日時情報を記録する手段８１４から呼び出した録画日時の情報が付加表示されるため、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することが可能となる。
【００４４】
つまり、ニュース速報が挿入された録画番組の画面を再生するときには、図８中の再生画面８１１に示すように、ニュース速報のテロップ等８１６にはマスキング８１８がかけられて隠されるとともに、録画日時情報８１３が自動的に表示されるので、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することができる。また、再生時に、判別する手段８２３による判別を行い、録画日時情報を画面に加えて再生信号を作成するので、録画再生装置の使用者が希望するならば、録画日時の表示を加えずに画面表示することも可能となる。
【００４５】
図９は、本発明の第９実施形態に係る録画再生装置の構成を示す図である。図９において、９００は、放送局から放送される放送信号を受信するためのアンテナ、９０１は、アンテナ９００で受信した信号を録画信号に処理する受信手段、９０２は、録画再生装置で録画する番組の録画信号、９０８は、録画する番組の録画信号９０２を録画媒体に録画する手段、９０９は、磁気テープ、光ディスク、大容量メモリ、ＨＤＤ等の録画番組の録画信号を録画する録画媒体、９１４は、録画する手段９０８の録画動作と同時に、録画番組を録画する録画日時情報を記録する手段、９１０は、録画媒体９０９に録画した番組を再生する手段、９１７は、再生する手段９１０の再生動作によって再生した録画された番組の再生信号、９０３は、再生信号の画面にニュース速報が挿入されていることを判別する手段、９０４は、判別した再生信号にはニュース速報が挿入されていないと判別した場合に、判別する手段９０３から出力される再生信号、９０５は、判別した再生信号にニュース速報が挿入されていると判別した場合に、判別する手段９０３から出力される再生信号、９０６は、再生した番組画面に加えるべき番組を録画した録画日時の情報を、録画日時を記録する手段９１４から呼び出す手段、９０７は、上記の再生信号９０５に、呼び出す手段９０６で呼び出した録画日時情報を重畳する手段、９１９は、上記の再生信号９０５のニュース速報テロップ部分にマスキングを施す手段、９１１は、再生画像画面の１例、９１２は、再生画像画面に表示される番組等の画像を表す１例、９１３は、再生画像画面に表示される番組録画日時の表示の１例、９１６は、再生された番組画面上に挿入されているニュース速報のテロップ等の表示の１例、９１８は、再生番組画像のニュース速報テロップにかけられたマスキングの１例である。
【００４６】
本実施形態では、録画媒体９０９から再生した再生番組画面がニュース速報が挿入された番組画面である場合には、ニュース速報が挿入された番組画面のニュース速報テロップに自動的にマスキングして表示するとともに、録画動作と同時に録画日時情報を記録する手段から呼び出した録画日時の情報を、ニュース速報が挿入された再生画像上に付加表示するので、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することが可能となる。
【００４７】
つまり、ニュース速報が挿入された録画番組の画面を再生するときには、図９中の再生画面９１１に示すように、ニュース速報のテロップ等９１６にはマスキング９１８がかけられて隠されるとともに、録画日時情報９１３が自動的に表示されるので、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することができる。また、再生時に、判別する手段９０３による判別を行い、録画日時情報を画面に加えるとともに、ニュース速報のテロップ等にマスキングを施した再生信号を作成するので、録画再生装置の使用者が希望するならば、録画日時の表示を加えずに画面表示することや、ニュース速報のテロップにマスキングを加えずに、再生番組画面にニュース速報を表示することも可能となる。
【００４８】
図１０は、本発明の第１０実施形態に係る録画再生装置の構成を示す図である。図１０において、１０１０は、録画媒体に録画された番組を再生する手段、１０１７は、再生する手段１０１０の再生動作によって再生した録画された番組の再生信号、１００３は、再生信号１０１７の番組が、ニュース番組や天気予報番組等の即時情報性を有する番組であることを判別、および／または、再生番組の画面内にニュース速報のテロップ等が挿入されたことを判別する手段、１００５は、判別された番組がニュース番組や天気予報番組等の即時情報性を有する番組、および／または、番組画面内にニュース速報のテロップ等が挿入されたと判断された場合に、判別する手段１００３から出力される制御信号、１０３０は、録画再生装置の本体に装備されたＬＥＤや液晶表示部等の情報表示部をコントロールする手段、１０４０はディスプレイ一体型の録画再生装置の本体、１０４１は、本体１０４０に設けられた情報表示部としてのＬＥＤ、１０４２は、本体１０４０に設けられた情報表示部としての液晶表示部、１０４５は、本体１０４０のディスプレイに再生表示された再生番組の画像の１例である。なお、図１０中の最下部には、録画再生装置がディスプレイ分離型である場合の例を示しており、１０４０’はディスプレイ分離型の録画再生装置の本体、１０４１は、本体１０４０’に設けられた情報表示部としてのＬＥＤ、１０４２は、本体１０４０’に設けられた情報表示部としての液晶表示部である。
【００４９】
本実施形態では、判別する手段１００３が、再生番組がニュース番組や天気予報番組等の即時情報性を有する番組であることを判別、および／または、再生番組の画面内にニュース速報のテロップ等が挿入されたことを判別した場合には、判別する手段１００３から情報表示部をコントロールする手段１０３０に対して制御信号１００５が送出され、これを受けて、情報表示部をコントロールする手段１０３０は、録画再生装置の本体のＬＥＤ１０４１を点灯させるとともに、液晶表示部１０４２に再生している番組の録画日時情報を表示させる（なお、本実施形態では、図示していないが、例えば図２中の、録画動作と同時に録画日時情報を記録する手段２１４や録画日時情報を呼び出す手段２０６等を備えたものとなっている）。これにより、録画再生装置の使用者が視聴しているディスプレイ画面に表示されている番組が、過去に録画された番組の再生画像であることを、ＬＥＤ点灯による注意力の喚起効果と、液晶表示部の録画日時のテキスト表示による注意力の喚起効果とによって、録画再生装置の使用者が視聴しているディスプレイ画面に表示されている番組が、過去に録画された番組の再生画像であることを、録画再生装置の使用者に確実に認知させることが可能となり、以って、録画再生装置を使用する使用者が録画番組を再生視聴する場合に、過去のニュース番組や天気予報番組等の再生番組や、再生番組の番組画面内に挿入された録画時のニュース速報等のテロップの内容を、現在の番組やニューステロップと間違えてしまうことを防止することが可能となる。
【００５０】
つまり、再生番組がニュース番組や天気予報番組等の即時情報性を有する番組である場合や、再生番組の画面内にニュース速報のテロップ等が挿入されたことを判別した場合には、図１０中のＬＥＤ１０４１、液晶表示部１０４２に示すように、ＬＥＤ点灯や、液晶表示部の録画日時表示によって、録画再生装置の使用者が視聴しているディスプレイ画面に表示されている番組が、過去に録画された番組の再生番組であることを、使用者に認知させることが可能になる。また、録画再生装置のディスプレイ画面には、録画日時が表示されないので、録画日時表示によって視認性を損なうこともない。
【００５１】
図１１は、本発明の第１１実施形態に係る録画再生装置の構成を示す図である。図１１において、１１１０は、録画媒体に録画された番組を再生する手段、１１１７は、再生する手段１１１０の再生動作によって再生した録画された番組の再生信号、１１０３は、再生信号１１１７の番組が、ニュース番組や天気予報番組等の即時情報性を有する番組であることを判別、および／または、再生番組の画面内にニュース速報のテロップ等が挿入されたことを判別する手段、１１０５は、判別された番組がニュース番組や天気予報番組等の即時情報性を有する番組、および／または、番組画面内にニュース速報のテロップ等が挿入されたと判断された場合に、判別する手段１１０３から出力される制御信号、１１６０は、録画再生装置に装備されたリモコン送信機の情報表示部への表示要求を、リモコン送信機へ送信する手段、１１６１は、送信する手段１１６０からリモコン送信機への要求信号、１１７０は、録画再生装置に装備されたリモコン送信機、１１７１は、リモコン送信機１１７０に設けられた情報表示部としてのＬＥＤ、１１７２は、リモコン送信機１１７０に設けられた情報表示部としての液晶表示部である。
【００５２】
本実施形態では、判別する手段１１０３が、再生番組がニュース番組や天気予報番組等の即時情報性を有する番組であることを判別、および／または、再生番組の画面内にニュース速報のテロップ等が挿入されたことを判別した場合には、判別する手段１１０３からリモコン送信機へ表示要求を送信する手段１１６０に対して制御信号１１０５が送出され、これを受けて、表示要求を送信する手段１１６０から、ＬＥＤ点灯要求と、録画日時情報およびその表示要求とが、要求信号１１６１としてリモコン送信機１１７０に対して送信される（なお、本実施形態では、図示していないが、例えば図２中の、録画動作と同時に録画日時情報を記録する手段２１４や録画日時情報を呼び出す手段２０６等を備えたものとなっている）。これを受けて、リモコン送信機１１７０は、ＬＥＤ１１７１を点灯させるとともに、液晶表示部１１７２に再生している番組の録画日時情報を表示させる。これによって、録画再生装置の使用者が視聴しているディスプレイ画面に表示されている番組が、過去に録画された番組の再生画像であることを、リモコン送信機のＬＥＤ点灯による注意力の喚起効果と、リモコン送信機の液晶表示部の録画日時のテキスト表示による注意力の喚起効果とによって、録画再生装置の使用者が視聴しているディスプレイ画面に表示されている番組が、過去に録画された番組の再生画像であることを、録画再生装置の使用者に確実に認知させることが可能となる。したがって、録画再生装置を使用する使用者が録画番組を再生視聴する場合に、過去のニュース番組や天気予報番組等の再生番組や、再生番組の番組画面内に挿入された録画時のニュース速報等のテロップの内容を、現在の番組やニューステロップと間違えてしまうことを防止することが可能となる。
【００５３】
つまり、再生番組がニュース番組や天気予報番組等の即時情報性を有する番組である場合や、再生番組の画面内にニュース速報のテロップ等が挿入されたことを判別した場合には、図１１中のリモコン送信機１１７０のＬＥＤ１１７１、液晶表示部１１７２に示すように、ＬＥＤ点灯や、液晶表示部の録画日時表示によって、録画再生装置の使用者が視聴しているディスプレイ画面に表示されている番組が、過去に録画された番組の再生番組であることを、使用者に認知させることが可能になる。また、録画再生装置のディスプレイ画面には、録画日時が表示されないので、録画日時表示によって視認性を損なうこともない。
【００５４】
図１２は、本発明の第１２実施形態に係る録画再生装置の構成を示す図である。図１２において、１２１０は、録画媒体に録画された番組を再生する手段、１２１７は、再生する手段１２１０の再生動作によって再生した録画された番組の再生信号、１２０３は、再生信号１２１７の番組が、ニュース番組や天気予報番組等の即時情報性を有する番組であることを判別、および／または、再生番組の画面内にニュース速報のテロップ等が挿入されたことを判別する手段、１２０５は、判別された番組がニュース番組や天気予報番組等の即時情報性を有する番組、および／または、番組画面内にニュース速報のテロップ等が挿入されたと判断された場合に、判別する手段１２０３から出力される制御信号、１２６０は、録画再生装置に装備されたリモコン送信機の情報表示部への表示要求や、リモコン送信機の音声発生部への音声出力要求を、リモコン送信機に対して送信する手段、１２６１は、送信する手段１２６０からリモコン送信機への要求信号、１２７０は、録画再生装置に装備されたリモコン送信機、１２７１は、リモコン送信機１２７０に設けられた情報表示部としてのＬＥＤ、１２７２は、リモコン送信機１２７０に設けられた情報表示部としての液晶表示部、１２７５は、リモコン送信機に設けられた音声発生部である。
【００５５】
本実施形態では、判別する手段１２０３が、再生番組がニュース番組や天気予報番組等の即時情報性を有する番組であることを判別、および／または、再生番組の画面内にニュース速報のテロップ等が挿入されたことを判別した場合には、判別する手段１２０３からリモコン送信機へ表示／音声出力要求を送信する手段１２６０に対して制御信号１２０５が送出され、これを受けて、表示／音声出力要求を送信する手段１２６０から、ＬＥＤ点灯要求と、録画日時情報およびその表示要求と、録画番組であることを報知する注意音の出力要求とが、要求信号１２６１としてリモコン送信機１２７０に対して送信される（なお、本実施形態では、図示していないが、例えば図２中の、録画動作と同時に録画日時情報を記録する手段２１４や録画日時情報を呼び出す手段２０６等を備えたものとなっている）。これを受けて、リモコン送信機１２７０は、ＬＥＤ１２７１を点灯させ、液晶表示部１２７２に再生している番組の録画日時情報を表示させ、かつ、音声発生部１２７５から録画番組であることを報知する注意音を出力させる。これによって、録画再生装置の使用者が視聴しているディスプレイ画面に表示されている番組が、過去に録画された番組の再生画像であることを、リモコン送信機のＬＥＤ点灯による注意力の喚起効果と、リモコン送信機の液晶表示部の録画日時のテキスト表示による注意力の喚起効果と、リモコン送信機の音声発生部からの注意音による注意力の喚起効果とによって、録画再生装置の使用者が視聴しているディスプレイ画面に表示されている番組が過去に録画された番組の再生画像であることを、録画再生装置の使用者に確実に認知させることが可能となる。したがって、録画再生装置を使用する使用者が録画番組を再生視聴する場合に、過去のニュース番組や天気予報番組等の再生番組や、再生番組の番組画面内に挿入された録画時のニュース速報等のテロップの内容を、現在の番組やニューステロップと間違えてしまうことを防止することが可能となる。
【００５６】
つまり、再生番組がニュース番組や天気予報番組等の即時情報性を有する番組である場合や、再生番組の画面内にニュース速報のテロップ等が挿入されたことを判別した場合には、図１２中のリモコン送信機１２７０のＬＥＤ１２７１、液晶表示部１２７２、音声発生部１２７５に示すように、ＬＥＤ点灯や、液晶表示部の録画日時表示や、音声出力によって、録画再生装置の使用者が視聴しているディスプレイ画面に表示されている番組が、過去に録画された番組の再生番組であることを、より確実に使用者に認知させることが可能になる。また、録画再生装置のディスプレイ画面には、録画日時が表示されないので、録画日時表示によって視認性を損なうこともない。
【００５７】
以上、本発明を図示した各実施形態によって説明してきたが、本発明は、上述した各実施形態を適宜に組み合わせて実施することも可能であり、本発明の精神を逸脱しない範囲で種々の変形が可能であることは、言うまでもない。
【００５８】
【発明の効果】
請求項１に係る発明によれば、録画番組の再生時に、再生番組がニュース番組や天気予報番組等である場合には、録画時に記録した録画日時を画面上に表示するので、録画再生装置の使用者が過去のニュース番組や天気予報番組等を現在の番組と間違えてしまうことを防止することができる。また、録画する番組がニュース番組や天気予報番組等を判別する手段によって、録画媒体に録画日時情報を同時に記録するかどうかを選択するようにしているので、ドラマなどの即時情報性の無い番組には録画日時情報が加えられず、したがって、録画再生装置の使用者は画面の情報を損なうことなくドラマ等の視聴が可能となる。
【００５９】
請求項２に係る発明によれば、録画番組の再生時に、再生番組がニュース番組や天気予報番組等である場合には、再生画面に録画日時情報を自動的に加えて画面上に表示するので、録画再生装置の使用者が過去のニュース番組や天気予報番組等を現在の番組と間違えてしまうことを防止することができる。また、再生する番組がニュース番組や天気予報番組等を判別する手段によって、再生表示する画面に録画日時の情報を付加するかどうかを選択するようにしているので、ドラマなどの即時情報性の無い番組には録画日時が付加されることはなく、したがって、録画再生装置の使用者は画面の情報を損なうことなくドラマ等の視聴が可能となる。さらに、再生時に、判別する手段による判別を行い日時情報を画面に加えて再生信号を作成するので、たとえ再生番組がニュース番組や天気予報番組等の即時情報性を有する番組であったとしても、録画再生装置の使用者が希望するならば、録画日時の表示を加えずに画面表示することも可能となる。
【００６０】
請求項３に係る発明によれば、録画している番組中にニュース速報が挿入された場合には、ニュース速報が挿入された番組の画面にその録画日時の情報を合わせて録画媒体に記録するようにしているので、再生時には、ニュース速報が挿入された番組画面にはその録画日時の情報が同時に表示されるため、録画再生装置を使用する使用者が、録画番組を再生視聴する場合に、過去の番組画面内に挿入された録画時のニュース速報等のテロップの内容を、現在のニュース速報と間違えてしまうことを防止することが可能となる。
【００６４】
請求項４に係る発明によれば、録画している番組中にニュース速報が挿入された場合には、ニュース速報が挿入された番組の画面にその録画日時の情報を加えるとともに、画面のニュース速報テロップ部分にマスキングをかけて、録画媒体記録するようにしているので、再生時には、ニュース速報が挿入された番組画面には、その録画日時の情報が同時に表示されるとともに、ニュース速報テロップ部分はマスキングがかけられて隠されるため、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することが可能となる。
【００６５】
請求項５に係る発明によれば、番組の録画動作と同時に、録画日時情報を記録する手段に番組の録画日時の情報を記録し、また、録画している番組中にニュース速報が挿入された場合には、ニュース速報が挿入された番組の画面中におけるニュース速報テロップ部分にマスキングを施して、録画媒体に記録するようにしているので、再生時には、ニュース速報が挿入された番組画面のニュース速報テロップには、マスキングがかけられて表示されると同時に、ニュース速報が挿入された画面には、録画日時情報を記録する手段から呼び出した録画日時の情報が付加表示されるため、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することが可能となる。また、再生時に、判別する手段による判別を行い日時情報を画面に加えて再生信号を作成するので、録画再生装置の使用者が希望するならば、録画日時の表示を加えずに画面表示することも可能となる。
【００６６】
請求項６に係る発明によれば、録画媒体から再生した再生番組画面がニュース速報が挿入された番組画面である場合には、ニュース速報が挿入された番組画面のニュース速報テロップに自動的にマスキングして表示するとともに、録画動作と同時に録画日時情報を記録する手段から呼び出した録画日時の情報を、ニュース速報が挿入された再生画像上に付加表示するので、録画再生装置を使用する使用者が、録画番組を再生視聴する場合に、過去の番組画面内に挿入された録画時のニュース速報等のテロップの内容を、現在のニュース速報と間違えてしまうことを、より一層確実に防止することが可能となる。また、再生時に、判別する手段による判別を行い、録画日時情報を画面に加えるとともに、ニュース速報のテロップ等にマスキングを施した再生信号を作成するので、録画再生装置の使用者が希望するならば、録画日時の表示を加えずに画面表示することや、ニュース速報のテロップにマスキングを加えずに、再生番組画面にニュース速報を表示することも可能となる。
【００６７】
請求項７に係る発明によれば、再生番組がニュース番組や天気予報番組等の即時情報性を有する番組であることを判別、および／または、再生番組の画面内にニュース速報のテロップ等が挿入されたことを判別した場合には、録画再生装置の本体のＬＥＤを点灯させたり、録画再生装置の本体の液晶表示部に再生している番組の録画日時情報を表示させるので、録画再生装置を使用する使用者が録画番組を再生視聴する場合に、過去のニュース番組や天気予報番組等の再生番組や、再生番組の番組画面内に挿入された録画時のニュース速報等のテロップの内容を、現在の番組やニューステロップと間違えてしまうことを防止することが可能となる。また、録画再生装置のディスプレイ画面には、録画日時が表示されないので、録画日時表示によって視認性を損なうこともない。
【００６８】
請求項８に係る発明によれば、再生番組がニュース番組や天気予報番組等の即時情報性を有する番組であることを判別、および／または、再生番組の画面内にニュース速報のテロップ等が挿入されたことを判別した場合には、録画再生装置に装備されたリモコン送信機のＬＥＤを点灯させたり、リモコン送信機の液晶表示部に再生している番組の録画日時情報を表示させるので、録画再生装置を使用する使用者が録画番組を再生視聴する場合に、過去のニュース番組や天気予報番組等の再生番組や、再生番組の番組画面内に挿入された録画時のニュース速報等のテロップの内容を、現在の番組やニューステロップと間違えてしまうことを防止することが可能となる。また、録画再生装置のディスプレイ画面には、録画日時が表示されないので、録画日時表示によって視認性を損なうこともない。
【００６９】
請求項９に係る発明によれば、再生番組がニュース番組や天気予報番組等の即時情報性を有する番組であることを判別、および／または、再生番組の画面内にニュース速報のテロップ等が挿入されたことを判別した場合には、録画再生装置に装備されたリモコン受信機のＬＥＤを点灯させたり、リモコン送信機の液晶表示部に再生している番組の録画日時情報を表示させたりするとともに、リモコン送信機の音声発生部から録画番組であることを報知する注意音を出力させるので、録画再生装置を使用する使用者が録画番組を再生視聴する場合に、過去のニュース番組や天気予報番組等の再生番組や、再生番組の番組画面内に挿入された録画時のニュース速報等のテロップの内容を、現在の番組やニューステロップと間違えてしまうことを、より確実に防止することが可能となる。また、録画再生装置のディスプレイ画面には、録画日時が表示されないので、録画日時表示によって視認性を損なうこともない。
【図面の簡単な説明】
【図１】本発明の第１実施形態に係る録画再生装置の構成を示すブロック図である。
【図２】本発明の第２実施形態に係る録画再生装置の構成を示すブロック図である。
【図３】本発明の第３実施形態に係る録画再生装置の構成を示すブロック図である。
【図４】本発明の第４実施形態に係る録画再生装置の構成を示すブロック図である。
【図５】本発明の第５実施形態に係る録画再生装置の構成を示すブロック図である。
【図６】本発明の第６実施形態に係る録画再生装置の構成を示すブロック図である。
【図７】本発明の第７実施形態に係る録画再生装置の構成を示すブロック図である。
【図８】本発明の第８実施形態に係る録画再生装置の構成を示すブロック図である。
【図９】本発明の第９実施形態に係る録画再生装置の構成を示すブロック図である。
【図１０】本発明の第１０実施形態に係る録画再生装置の構成を示すブロック図である。
【図１１】本発明の第１１実施形態に係る録画再生装置の構成を示すブロック図である。
【図１２】本発明の第１２実施形態に係る録画再生装置の構成を示すブロック図である。
【符号の説明】
１００、２００、３００、４００、５００、６００、７００、８００、９００……放送局から放送される放送信号を受信するためのアンテナ
１０１、２０１、３０１、４０１、５０１、６０１、７０１、８０１、９０１……アンテナで受信した信号を録画信号に処理する受信手段
１０２、２０２、３０２、４０２、５０２、６０２、７０２、８０２、９０２……録画再生装置で録画する番組の録画信号
１０３……録画信号がニュース番組や天気予報番組であることを判別する手段１０４……判別した録画信号がニュース番組や天気予報番組でない場合の録画信号
１０５……判別した録画信号がニュース番組や天気予報番組である場合の録画信号
１０６、３０６、７０６……番組を録画する録画日時の情報
１０７、３０７、７０７……番組を録画する録画日時を録画する番組の画面に加えて録画信号を作成する手段
１０８、２０８、３０８、４０８、５０８、６０８、７０８、８０８、９０８……録画する番組の録画信号を録画媒体に録画する手段
１０９、２０９、３０９、４０９、５０９、６０９、７０９、８０９、９０９……磁気テープ、光ディスク、大容量メモリ、ＨＤＤ等の録画番組の録画信号を録画する録画媒体
１１０、２１０、３１０、４１０、５１０、６１０、７１０、８１０、９１０、１０１０、１１１０、１２１０……録画した番組を再生する手段
１１１、２１１、３１１、４１１、５１１、６１１、７１１、８１１、９１１……再生画像画面
１１２、２１２、３１２、４１２、５１２、６１２、７１２、８１２、９１２、……再生画像画面に表示される画像
１１３、２１３、３１３、４１３、７１３、８１３、９１３……再生画像画面に表示される番組録画日時の表示
２０３……再生信号がニュース番組や天気予報番組であることを判別する手段２０４……判別した再生信号がニュース番組や天気予報番組でない場合の再生信号
２０５……判別した再生信号がニュース番組や天気予報番組である場合の再生信号
２０６、４０６、８０６、９０６……再生した番組画面に加えるべき録画日時の情報を呼び出す手段
２０７、４０７、８０７、９０７……録画日時の情報を再生する番組の画面に加えて再生画像を作成する手段
２１４、４１４、８１４、９１４……録画動作と同時に録画番組を録画する録画日時情報を記録する手段
２１７、４１７、６１７、８１７、９１７、１０１７、１１１７、１２１７……再生する手段の再生動作によって再生した録画された番組の再生信号
３０３、５０３、７０３、８０３……録画信号の画面にニュース速報が挿入されていることを判別する手段
３０４、５０４、７０４、８０４……判別した録画信号にはニュース速報が挿入されていないと判別した場合の録画信号
３０５、５０５、７０５、８０５……判別した録画信号にニュース速報が挿入されていると判別した場合の録画信号
３１６、４１６、５１６、６１６、７１６、８１６、９１６……再生された番組画面上に挿入されているニュース速報のテロップ等の表示
４０３、６０３、８２３、９０３……再生信号の画面にニュース速報が挿入されていることを判別する手段
４０４、６０４、８２４、９０４……判別した再生信号にはニュース速報が挿入されていないと判別した場合の再生信号
４０５、６０５、８２５、９０５……判別した再生信号にニュース速報が挿入されていると判別した場合の再生信号
５１８、６１８、７１８、８１８、９１８……再生番組画像のニュース速報テロップにかけられたマスキング
５１９、７１９、８１９……番組画面内のニュース速報テロップ部分にマスキングをかけて録画信号を作成する手段
６１９、９１９……番組画面内のニュース速報テロップ部分にマスキングをかけて再生信号を作成する手段
１００３、１１０３、１２０３……再生信号の番組がニュース番組や天気予報番組等であることを判別、および／または、再生番組の画面内にニュース速報のテロップ等が挿入されたことを判別する手段
１００５、１１０５、１２０５……判別された番組がニュース番組や天気予報番組等の番組であると判別、および／または、番組画面内にニュース速報のテロップ等が挿入されたと判断された場合に出力される制御信号
１０３０……録画再生装置の本体に設けられた情報表示部をコントロールする手段
１０４０、１０４０’……  録画再生装置の本体
１０４１……録画再生装置の本体に設けられた情報表示部としてのＬＥＤ
１０４２……録画再生装置に設けられた情報表示部としての液晶表示部
１０４５……録画再生装置の本体のディスプレイに再生表示された再生番組の画像
１１６０……リモコン送信機へ表示要求を送信する手段
１１６１、１２６１……リモコン送信機への要求信号
１１７０、１２７０……録画再生装置に装備されたリモコン送信機
１１７１、１２７１……リモコン送信機に設けられた情報表示部としてのＬＥＤ
１１７２、１２７２……リモコン送信機に設けられた情報表示部としての液晶表示部
１２６０……リモコン送信機へ表示要求、音声出力要求を送信する手段
【図１】
0003818933.tif 000002
【図２】
0003818933.tif 000003
【図３】
0003818933.tif 000004
【図４】
0003818933.tif 000005
【図５】
0003818933.tif 000006
【図６】
0003818933.tif 000007
【図７】
0003818933.tif 000008
【図８】
0003818933.tif 000009
【図９】
0003818933.tif 000010
【図１０】
0003818933.tif 000011
【図１１】
0003818933.tif 000012
【図１２】
0003818933.tif 000013